(57)【要約】【課題】表示装置の表示品位の向上を可能にする照明装置を提供する。【解決手段】照明装置は、導光板と、複数の光源と、複数の光拡散構造と、を備えている。導光板は、第１方向及び第２方向に延在し、第３方向に厚みを有している。光源は、第１レーザー素子及び第２レーザー素子をそれぞれ含んでいる。光拡散構造は、各々の光源に対応して設けられ、入射面又は入射面と光源との間に位置している。このとき、複数の光源は、第２方向に沿って並べられている。各々の光源において、第１レーザー素子及び第２レーザー素子は、第１方向又は第３方向に沿って並べられている。【選択図】図２
2018045778.tif 000002
【特許請求の範囲】
【請求項１】
第１方向及び該第１方向と交差する第２方向に延在しており、前記第１方向及び前記第２方向と交差する第３方向に厚みを有する導光板と、
第１色の光を発する第１レーザー素子、及び前記第１色とは異なる第２色の光を発する第２レーザー素子をそれぞれ含み、前記導光板に光を照射する複数の光源と、
各々の前記光源に対応して設けられ、前記光源からの光が入射する前記導光板の入射面又は該入射面と前記光源との間に位置する複数の光拡散構造と、
を備え、
前記複数の光源は、前記第２方向に沿って並べられ、
各々の前記光源において、前記第１レーザー素子及び前記第２レーザー素子は、前記第１方向又は前記第３方向に沿って並べられている、照明装置。
【請求項２】
前記光源から照射された光を、前記第２方向に平行性を有し且つ前記第３方向に拡散性を有する光に変換するレンズを備える、請求項１に記載の照明装置。
【請求項３】
前記第２方向における光の幅を制御するコリメートレンズを備える、請求項１又は２に記載の照明装置。
【請求項４】
前記第２方向に光を広げるパウエルレンズと、該パウエルレンズを通過した光の前記第２方向における幅を制御するシリンドリカルレンズと、を備える、請求項１又は２に記載の照明装置。
【請求項５】
前記コリメートレンズは、前記第１レーザー素子及び前記第２レーザー素子と対向する入射側と、前記入射側とは反対側の出射側と、を有し、
前記出射側は、前記第２方向において前記入射側よりも大きく、前記第３方向において前記入射側よりも小さい、請求項３に記載の照明装置。
【請求項６】
前記光拡散構造は、前記コリメートレンズに設けられている、請求項５に記載の照明装置。
【請求項７】
前記光拡散構造は、凹状又は凸状の構造である、請求項１乃至６のいずれか一項に記載の照明装置。
【請求項８】
前記導光板は、前記入射面に入射した光が出射する出射面を有し、
前記出射面は、前記第１方向に沿って延びており、各々の前記光源に対応する複数のサブ領域を含み、
前記複数の光源は、前記サブ領域毎に輝度を制御される、請求項１乃至７のいずれか一項に記載の照明装置。
【発明の詳細な説明】
【技術分野】
【０００１】
本発明の実施形態は、照明装置に関する。
【背景技術】
【０００２】
例えば、液晶表示装置等の表示装置は、画素を有する表示パネルと、表示パネルに光を照射する照明装置と、を備えている。照明装置は、光を発する光源と、それら光源から光を照射される導光板と、を備えている（例えば、特許文献１）。光源からの光は、導光板の内部を伝播し、導光板の出射面から出射する。異なる色をそれぞれ発する複数の光源を用いることで、それらの色を混合した所望の色の出射光を得ることもできる。
【０００３】
導光板の短辺方向及び厚み方向に拡散性を有する光を導光板に入射させる場合、導光板の内部で繰り返し反射して光が導光板に吸収されるため、光の利用効率が低下する。一方で、導光板の短辺方向及び厚み方向に平行性を有する光を導光板に入射させる場合、光の利用効率に優れる反面、導光板の出射面に輝度ムラが発生し易い。また、導光板の入射面と光軸との位置精度を厳しく管理する必要があり、製造コストが増大する。
【０００４】
また、導光板の短辺方向に平行性を有し、厚み方向に拡散性を有する光を導光板に入射させることが考えられる。そのような光は、導光板の内部において導光板の短辺方向に混合されない。導光板の内部で異なる色の光を混合して所望の色を得る構成に採用すると、それらの色の光が均一に混合されないおそれがある。
【０００５】
導光板の内部で光を色混合させることが難しいと、導光板に入射させる前にあらかじめ色混合した光を導光板に入射させる必要がある。導光板の外部に異なる色の光を混合するための光学系を追加すると、照明装置の小型化が困難になる。
【先行技術文献】
【特許文献】
【０００６】
【特許文献１】特開２００９−２３１０１８号公報
【発明の概要】
【発明が解決しようとする課題】
【０００７】
表示装置に用いられる照明装置には種々の課題が存在する。本開示の目的は、これらを改善することによって表示装置の表示品位の向上を可能にする照明装置を提供することである。
【課題を解決するための手段】
【０００８】
一実施形態に係る照明装置は、導光板と、複数の光源と、複数の光拡散構造と、を備えている。導光板は、第１方向及び第２方向に延在し、第３方向に厚みを有している。光源は、第１レーザー素子及び第２レーザー素子をそれぞれ含んでいる。光拡散構造は、各々の光源に対応して設けられ、入射面又は入射面と光源との間に位置している。このとき、複数の光源は、第２方向に沿って並べられている。各々の光源において、第１レーザー素子及び第２レーザー素子は、第１方向又は第３方向に沿って並べられている。
【図面の簡単な説明】
【０００９】
【図１】図１は、表示装置の一例として、液晶表示装置の概略的な構成を一部分解して示す斜視図である。
【図２】図２は、第１実施形態の照明装置の概略的な構成を示す斜視図である。
【図３】図３は、図２に示された照明装置の右側面図である。
【図４】図４は、図２に示された照明装置の平面図である。
【図５】図５は、図２中のＦ５−Ｆ５線に沿う断面図である。
【図６】図６は、図２中のＦ６−Ｆ６線に沿う断面図である。
【図７】図７は、光拡散構造の他の一例を示す断面図である。
【図８】図８は、図７中のＦ８−Ｆ８線に沿う断面図である。
【図９】図９は、光拡散構造を通過した光の強度分布を示す図である。
【図１０】図１０は、コリメートレンズの他の一例を示す斜視図である。
【図１１】図１１は、図１０中のＦ１１−Ｆ１１線に沿う断面図である。
【図１２】図１２は、第１実施形態の他の一例を示す平面図である。
【図１３】図１３は、第２実施形態の照明装置の概略的な構成を示す斜視図である。
【図１４】図１４は、図１３中のＦ１４−Ｆ１４線に沿う断面図である。
【図１５】図１５は、図１３に示された照明装置の平面図である。
【図１６】図１６は、第３実施形態の照明装置の概略的な構成を示す斜視図である。
【図１７】図１７は、図１６に示された照明装置の右側面図である。
【図１８】図１８は、図１６に示された照明装置の正面図である。
【発明を実施するための形態】
【００１０】
いくつかの実施形態について、図面を参照しながら説明する。  
なお、開示はあくまで一例に過ぎず、当業者が発明の主旨を保って適宜変更について容易に想到し得るものは、当然に本発明の範囲に含まれる。また、図面は、説明をより明確にするため、実際の態様に比べて模式的に表される場合があるが、あくまで一例であって、本発明の解釈を限定するものではない。各図において、連続して配置される同一又は類似の要素について符号を省略することがある。また、本明細書及び各図において、既に説明した図と同一又は類似した機能を発揮する構成要素には同一の参照符号を付し、重複する詳細な説明を省略することがある。
【００１１】
各実施形態において、表示装置の一例として液晶表示装置ＤＳＰを開示する。液晶表示装置ＤＳＰは、例えば、スマートフォン、タブレット端末、携帯電話端末、パーソナルコンピュータ、テレビ受像装置、車載装置、ゲーム機器、ウェアラブル端末等の種々の装置に用いることができる。
【００１２】
まず、図１を参照して各実施形態に共通する構成について述べる。図１は、液晶表示装置ＤＳＰの概略的な構成を一部分解して示す斜視図である。液晶表示装置ＤＳＰは、表示パネルＰＮＬと、表示パネルＰＮＬに光を照射する照明装置（バックライト）ＢＬと、表示パネルＰＮＬや照明装置ＢＬの動作を制御する制御モジュールＣＭと、表示パネルＰＮＬを駆動する駆動ＩＣチップＩＣと、表示パネルＰＮＬや照明装置ＢＬへ制御モジュールＣＭの制御信号を伝達するフレキシブル回路基板ＦＰＣ１，ＦＰＣ２と、を備えている。
【００１３】
各実施形態において、図１に示すように、第１方向Ｘ、第２方向Ｙ、第３方向Ｚを定義する。第１方向Ｘ及び第２方向Ｙは、それぞれ後述する導光板１０の長辺１０Ｘ及び短辺１０Ｙに沿う方向に相当する。第３方向Ｚは、当該導光板１０の厚み方向に相当する。第１方向Ｘは、例えば表示パネルＰＮＬの長辺に沿う方向でもある。第２方向Ｙは、例えば表示パネルＰＮＬの短辺に沿う方向でもある。第３方向Ｚは、第１方向Ｘ及び第２方向Ｙと交差する方向である。図１に示す例では、第１乃至第３方向Ｘ，Ｙ，Ｚが互いに垂直に交わる。なお、第１乃至第３方向Ｘ，Ｙ，Ｚが他の角度で交わってもよい。
【００１４】
表示パネル（液晶セル）ＰＮＬは、アレイ基板ＡＲと、アレイ基板ＡＲに対向する対向基板ＣＴと、アレイ基板ＡＲ及び対向基板ＣＴの間に配置された液晶層ＬＣと、を備えている。液晶層ＬＣは、光を選択的に透過する光学素子の一例である。表示パネルＰＮＬは、画像を表示する表示領域ＤＡを有している。表示パネルＰＮＬは、表示領域ＤＡにおいて、第１方向Ｘ及び第２方向Ｙにマトリクス状に配列された複数の画素ＰＸを有している。
【００１５】
制御モジュールＣＭは、液晶表示装置ＤＳＰが搭載される電子機器のメインボード等から表示領域ＤＡに表示するための１フレーム分の画像データを順次受信する。この画像データは、例えば各画素ＰＸの表示色等の情報を含む。制御モジュールＣＭは、受信した画像データに基づいて各画素ＰＸを駆動するための信号を表示パネルＰＮＬに供給する。また、制御モジュールＣＭは、受信した画像データに基づいて後述する複数の光源ＬＳを個別に駆動するための信号を照明装置ＢＬに供給する。制御モジュールＣＭは、コントローラの一例である。
【００１６】
駆動ＩＣチップＩＣは、例えばアレイ基板ＡＲに実装されている。なお、駆動ＩＣチップＩＣは、制御モジュールＣＭ等に実装されてもよい。フレキシブル回路基板ＦＰＣ１は、アレイ基板ＡＲと制御モジュールＣＭとを接続している。フレキシブル回路基板ＦＰＣ２は、照明装置ＢＬと制御モジュールＣＭとを接続している。
【００１７】
照明装置ＢＬは、表示パネルＰＮＬのアレイ基板ＡＲに対向するように配置され、表示パネルＰＮＬに背面側から光を照射する。
【００１８】
［第１実施形態］  
図２は、第１実施形態の照明装置ＢＬの概略的な構成を示す斜視図である。照明装置ＢＬは、例えば、導光板１０と、複数の光源ＬＳ（ＬＳ１，ＬＳ２，ＬＳ３，ＬＳ４，ＬＳ５）と、各々の光源ＬＳと対応して設けられた複数のコリメートレンズ２０と、プリズムシートＰＳと、拡散フィルムＳＴと、を備えている。
【００１９】
導光板１０は、例えば透光性を有する樹脂材料から形成された板状の部材である。導光板１０は、表示パネルＰＮＬの背面側に配置され、アレイ基板ＡＲと対向している。導光板１０の長辺１０Ｘは、第１方向Ｘに沿って延在している。導光板１０の短辺１０Ｙは、第２方向Ｙに沿って延在している。導光板１０の厚み方向は、第３方向Ｚと一致する。なお、導光板１０の厚みは均一である必要はなく、少なくとも一部において異なっていてもよい。一例として、光源ＬＳから離れるに従って厚みが増加する楔形に導光板１０を形成してもよい。
【００２０】
プリズムシートＰＳは、導光板１０と表示パネルＰＮＬとの間に配置され、導光板１０から出射した光の光路を表示パネルＰＮＬに向けて指向させる。プリズムシートＰＳは、例えば、透光性に優れた樹脂フィルムであって、表面にプリズムパターンが成形されたプリズム面と、プリズムパターンが成形されていない平坦面と、を有している。例えば、プリズム面が導光板１０と対向し、平坦面が表示パネルＰＮＬと対向している。なお、プリズム面が表示パネルと対向し、平坦面が導光板１０と対向してもよい。
【００２１】
拡散フィルムＳＴは、プリズムシートＰＳと表示パネルＰＮＬとの間に配置されている。拡散フィルムＳＴは、例えば散乱粒子が分散された樹脂フィルムである。散乱粒子に代えて、表面に微細なレンズ構造を形成してもよい。散乱粒子は、光を散乱させるものであれば特に限定されず、有機粒子であっても無機粒子であってもよい。
【００２２】
有機粒子として、例えばアクリル樹脂、シリコン樹脂、スチレン樹脂等の樹脂粒子が挙げられる。無機粒子として、例えば、シリカ、アルミナ等のセラミック粒子や、アルミニウム、銅、鉄等の金属粒子が挙げられる。拡散フィルムＳＴによれば、液晶表示装置ＤＳＰの画像の輝度ムラを低減し、視野角特性を改善することができる。なお、拡散フィルムＳＴは必須の構成ではなく省略することもできる。
【００２３】
図３は、照明装置ＢＬを第２方向Ｙから見た右側面図である。図４は、照明装置ＢＬを第３方向Ｚから見た平面図である。図３に示すように、導光板１０は、側面１１と、第１主面１２と、第２主面１３と、を有している。側面１１は、光源ＬＳに対向している。第１主面１２は、表示パネルＰＮＬに対向している。
【００２４】
本実施形態では、各々の光源ＬＳから照射された光が側面１１に入射する。第２主面１３には、側面１１に入射した光を第１主面１２に向かって反射するプリズムパターン１３Ｐが形成されている。なお、プリズムパターン１３Ｐに代えて、光を表示パネルＰＮＬに向けて導くプリズムパターンを第１主面１２に形成してもよい。側面１１、第１主面１２を入射面、出射面とそれぞれ呼ぶこともできる。
【００２５】
図２に示すように、各々の光源ＬＳは、第１色の光を発する第１レーザー素子ＬＤ１と、第２色の光を発する第２レーザー素子ＬＤ２と、第３色の光を発する第３レーザー素子ＬＤ３と、を含んでいる。例えば、第１色が赤色（Ｒ）、第２色が緑色（Ｇ）、第３色が青色（Ｂ）である。なお、第１乃至第３色はこれら三原色に限られず、その他の色であってもよい。
【００２６】
各々のレーザー素子ＬＤ（第１乃至第３レーザー素子ＬＤ１，ＬＤ２，ＬＤ３）は、レーザー光を発する半導体レーザー等であり、第１方向Ｘを中心とした広がりを持つ発散光を照射する点光源である。詳述すると、第１方向Ｘ（放射強度が最も高い光軸）から見たレーザー素子ＬＤが発する光の相対強度を１．０とすると、この光は、第２方向Ｙにおいて、相対強度が最大値の半値（０．５）以上となる視野角の範囲（半値幅）が例えば約３０°（−１５°〜１５°）である。一方で、第３方向Ｚにおいて、相対強度が半値以上となる視野角の範囲が例えば約１０°（−５°〜５°）である。つまり、各々のレーザー素子ＬＤからの光の広がりは、第２方向Ｙと比べて第３方向Ｚが狭い。第１乃至第３レーザー素子ＬＤ１，ＬＤ２，ＬＤ３は、例えば前述のフレキシブル回路基板ＦＰＣ２と電気的に接続された配線基板に実装されている。
【００２７】
図２に示すように、光源ＬＳ（ＬＳ１，ＬＳ２，ＬＳ３，ＬＳ４，ＬＳ５）は、導光板１０の短辺１０Ｙに沿って複数並べられ、導光板１０の側面（入射面）１１に光を照射する。図２に示す例では、光源ＬＳが五つ並べられている。なお、光源ＬＳの数は、四つ以下でもよいし、六つ以上でもよい。光源ＬＳの数は、導光板１０の大きさによって適宜調整できる。
【００２８】
各々の光源ＬＳにおいて、第１乃至第３レーザー素子ＬＤ１，ＬＤ２，ＬＤ３は、第３方向Ｚ（導光板１０の厚み方向）に沿って並べられている。すなわち、光源ＬＳ１において、第１乃至第３レーザー素子ＬＤ１，ＬＤ２，ＬＤ３は、第３方向Ｚに沿って並べられている。同様に、光源ＬＳ２，ＬＳ３，ＬＳ４，ＬＳ５において、第１乃至第３レーザー素子ＬＤ１，ＬＤ２，ＬＤ３は、第３方向Ｚに沿ってそれぞれ並べられている。このような位置において、各々のレーザー素子ＬＤは、光源ＬＳの並び方向（第２方向Ｙ）に半値幅が広く、当該レーザー素子ＬＤの並び方向（第３方向Ｚ）に半値幅が狭くなる向きにそれぞれ固定されている。  
図２に示すように、コリメートレンズ２０は、各々の光源ＬＳ１，ＬＳ２，ＬＳ３，ＬＳ４，ＬＳ５に対応して設けられ、光源ＬＳと導光板１０の側面１１との間に配置されている。コリメートレンズ２０の基端２０Ａは光源ＬＳと対向し、先端２０Ｂは側面１１と対向している。
【００２９】
コリメートレンズ２０は、光源ＬＳから照射された光を第２方向Ｙに平行性を有し且つ第３方向Ｚに拡散性を有する光に変換するレンズ（以下、光指向部と呼ぶことがある。）の一例である。基端２０Ａは、コリメートレンズ２０の入射側の一例であり、先端２０Ｂは、コリメートレンズ２０の出射側の一例である。コリメートレンズ２０は、第２方向Ｙにおける光の幅を制御することにより、光源ＬＳから照射された光を、第２方向Ｙに平行性を有し且つ第３方向Ｚに拡散性を有する光に変換する。
【００３０】
図５は、図２中のＦ５−Ｆ５線に沿ってコリメートレンズ２０を切断した断面図である。図６は、図２中のＦ６−Ｆ６線に沿って切断したコリメートレンズ２０の断面図である。図５及び図６に示すように、コリメートレンズ２０は、レンズ面が形成された基端２０Ａ及び先端２０Ｂと、基端２０Ａ及び先端２０Ｂを繋ぐ側面（上面、下面、左面、右面）２３，２４，２５，２６と、を有している。図５及び図６に示す例では、側面２３，２４，２５，２６は、それぞれ平面状に形成されている。
【００３１】
また、図５及び図６に示す例では、コリメートレンズ２０は、第１方向Ｘに進むに従い第２方向Ｙに大きくなり且つ第３方向Ｚに小さくなるように形成されている。つまり、第２方向Ｙにおいて、先端２０Ｂは基端２０Ａよりも大きく、第３方向Ｚにおいて、先端２０Ｂは基端２０Ａよりも小さい。図３及び図６に示す先端２０Ｂの第３方向Ｚにおける厚みＨ３は、例えば導光板１０の側面１１の第３方向Ｚにおける厚みＨ１と略同一に形成されている。基端２０Ａの第３方向Ｚにおける厚みＨ４は、例えば光源ＬＳの第３方向Ｚにおける厚みＨ２と略同一に形成されている。
【００３２】
また、図５及び図６に示す例では、コリメートレンズ２０は、第２方向Ｙにおいて左右対称、第３方向Ｚにおいて上下対称に形成されている。図５に示す第２方向Ｙにおいてコリメートレンズ２０を二等分する線を二等分線Ｂとする。
【００３３】
図５に示すように、コリメートレンズ２０の先端２０Ｂは、第１レンズ面３１と、第１レンズ面３１の左右両端に設けられた第２及び第３レンズ面３２，３３と、を有している。第１乃至第３レンズ面３１，３２，３３は、第３方向Ｚに沿う中心軸を有する円柱の一部を切り出した形状（円柱面）を有している。第１レンズ面３１の中心軸は、コリメートレンズ２０の二等分線Ｂと交差する位置に配置されている。第２レンズ面３２は、側面２５と鋭角をなしており、その中心軸が二等分線Ｂと交差しない位置に配置されている。同様に、第３レンズ面３３は、側面２６と鋭角をなしており、その中心軸が二等分線Ｂと交差しない位置に配置されている。
【００３４】
図６に示すように、コリメートレンズ２０の基端２０Ａは、上下に並べられた第４面３４と、第５面３５と、第６面３６と、を有している。第４乃至第６面３４，３５，３６の第３方向Ｚにおける厚みＨ４Ｒ，Ｈ４Ｇ，Ｈ４Ｂは、それぞれ第１乃至第３レーザー素子ＬＤ１，ＬＤ２，ＬＤ３の第３方向Ｚにおける厚みと略同一に形成されている。
【００３５】
図５及び図２に示すように、第４乃至第６面３４，３５，３６の左右両端には、第４乃至第６面３４，３５，３６から突出した縁部３７，３８が設けられている。第２レンズ面３２と縁部３７との間は、前述の側面２５によって繋がれている。第３レンズ面３３と縁部２８との間は、前述の側面２６によって繋がれている。
【００３６】
図６に示すように、第４乃至第６面３４，３５，３６には、第１乃至第３レーザー素子ＬＤ１，ＬＤ２，ＬＤ３に対応して第１乃至第３凹部４１，４２，４３がそれぞれ形成されている。第１乃至第３凹部４１，４２，４３は、光拡散構造の一例である。第１乃至第３凹部４１，４２，４３は、例えばパラボラ状の凹面にそれぞれ形成されている。なお、第１乃至第３レーザー素子ＬＤ１，ＬＤ２，ＬＤ３からの光の形状に合わせて、例えば第２方向Ｙと比べて第３方向Ｚが狭い凹面に形成してもよい。
【００３７】
図７は、光拡散構造の他の一例を示す断面図である。図８は、図７中のＦ８−Ｆ８線に沿う断面図である。光拡散構造は、光路を広げることが目的であるため、表面の形状は凹状に限られず、図７及び図８に示すように凸状であってもよい。図９は、光拡散構造（第２凹部４２）を通過した光の強度分布を示す図である。第３方向Ｚに並べられたレーザー素子ＬＤに対応する光拡散構造（凹部又は凸部）の形状は、当該光拡散構造を通過した光が、図９に示すように、導光板１０の厚み方向（第３方向Ｚ）に放射強度が高くなるように形成することが好ましい。
【００３８】
第４面３４は、第５面３５に対して僅かに傾斜しており、第１レーザー素子ＬＤ１からの光は、やや下向き（内向き）に出射する。第６面３６は、第５面３５に対して僅かに傾斜しており、第３レーザー素子ＬＤ３からの光は、やや上向き（内向き）に出射する。
【００３９】
図５及び図６に示すように、第１乃至第３レーザー素子ＬＤ１，ＬＤ２，ＬＤ３から発せられた光は、第１乃至第３凹部４１，４２，４３に入射し、第２方向Ｙ及び第３方向Ｚに幅を広げられる。第１乃至第３凹部４１，４２，４３を通過した光は、直接に、或いは側面２３，２４，２５，２６に反射されて、第１乃至第３レンズ面２１，２２，２３を通過する。
【００４０】
第１乃至第３レンズ面２１，２２，２３は、第２方向Ｙにおける光の幅を制御する。そのため、コリメートレンズ２０を通過した光は、図６及び図３に示すように、第３方向Ｚの拡散性を有したままである一方、図５及び図４に示すように、第２方向Ｙに平行性を有した光に変換される。
【００４１】
図３に示すように、コリメートレンズ２０を経て導光板１０の側面１１に入射した光は、第３方向Ｚに拡散性を有している。そのため、導光板１０の第１主面１２及び第２主面１３で反射されて十分に混合される。第１乃至第３のレーザー素子ＬＤ１，ＬＤ２，ＬＤ３から出射した第１色（Ｒ）、第２色（Ｇ）、第３色（Ｂ）の光は、導光板１０の内部で均一に混合されて所望の色（例えば、白色）になり、プリズムシートＰＳ及び拡散フィルムＳＴに入射する。
【００４２】
図４に示すように、コリメートレンズ２０を経て導光板１０の側面１１に入射した光は、第２方向Ｙに平行性を有している。そのため、第１方向Ｘにおいて遠方まで均一に伝播する。導光板１０の第１主面（出射面）１２は、光源ＬＳ寄りの一端１０Ａから反対側の他端１０Ｂまで輝度ムラを抑制される。
【００４３】
また、コリメートレンズ２０を経て入射した光は、第２方向Ｙに平行性を有しているため、第２方向Ｙに混ざり合うことがない。第２方向Ｙに沿って並べられた光源ＬＳ１，ＬＳ２，ＬＳ３，ＬＳ４，ＬＳ５からの光は、導光板１０の内部を互いに独立して伝播する。例えば、各々の光源ＬＳ１，ＬＳ２，ＬＳ３，ＬＳ４，ＬＳ５を個別に点灯又は消灯させると、対応する導光板１０の第１主面１２の一部が個別に点灯又は消灯する。光源ＬＳの輝度は、前述の制御モジュールＣＭによって制御できる。
【００４４】
光源ＬＳ１，ＬＳ２に対応する第１主面１２の一部をサブ領域Ａ１，Ａ２とする。図示しないが、光源ＬＳ３，ＬＳ４，ＬＳ５に対応する第１主面１２の一部をサブ領域Ａ３，Ａ４，Ａ５とする。サブ領域Ａ１，Ａ２，Ａ３，Ａ４，Ａ５は、第１方向Ｘに延びる帯状に設定できる。本実施形態では、光源ＬＳ１，ＬＳ２，ＬＳ３，ＬＳ４，ＬＳ５を個別に制御することにより、導光板１０のサブ領域Ａ１，Ａ２，Ａ３，Ａ４，Ａ５の輝度を個別に調整できる。
【００４５】
図１０は、本実施形態に係るコリメートレンズの他の一例を示す斜視図である。図６に示した一例では、先端２０Ｂから第４乃至第６面３４，３５，３６までの距離を略同一に揃え、第４乃至第６面３４，３５，３６を連続的に形成していたが、図１０に示す他の一例では、第４乃至第６面３４，３５，３６を不連続で途切れるように形成している。
【００４６】
図１１は、図１０中のＦ１１−Ｆ１１線に沿う断面図である。図１１に示す例では、先端２０Ｂから第５面３５の第２凹部４２までの距離Ｄ２は、先端２０Ｂから第４面３４の第１凹部４１までの距離Ｄ１よりも短く、先端２０Ｂから第６面３６の第３凹部４３までの距離Ｄ３よりも短い。なお、距離Ｄ２が距離Ｄ１や距離Ｄ３よりも長くてもよい。距離Ｄ２が距離Ｄ１よりも長く且つ距離Ｄ３よりも短くてもよい。距離Ｄ２が距離Ｄ１よりも短く且つ距離Ｄ３よりも長くてもよい。要するに、距離Ｄ１，Ｄ２，Ｄ３のいずれか一が他よりも短ければよい。
【００４７】
図１１に示す例では、第５面３５が、第４面３４や第６面３６と第１方向Ｘにおいて前後にずれて位置されている。そのため、第５面３５と対向する第２レーザー素子ＬＤ２を、第４面３４と対向する第１レーザー素子ＬＤ１や第６面３６と対向する第３レーザー素子ＬＤ３に対して前後にずらして配置できる。第１乃至第３レーザー素子ＬＤ１，ＬＤ２，ＬＤ３を第３方向Ｚに重ねる必要がなくなるため、第３方向Ｚにおけるコリメートレンズ２０の厚みＨ４を小さくして、照明装置ＢＬを小型化できる。
【００４８】
図１２は、本実施形態の他の一例を示す平面図である。図４に示した一例では、コリメートレンズ２０を備えていたが、図１２に示す他の一例では、コリメートレンズ２０に代えて、パウエルレンズ（ラインジェネレーター）４６と、シリンドリカルレンズ４７と、を備えている。パウエルレンズ４６及びシリンドリカルレンズ４７の組み合わせは、光源ＬＳから照射された光を第２方向Ｙに平行性を有し且つ第３方向Ｚに拡散性を有する光に変換するレンズ（光指向部）の一例である。
【００４９】
パウエルレンズ４６は、丸みを帯びたルーフ状に形成された入射面４６Ａを有し、出射する光の両端部の強度を増加させつつ中心部の強度を減少させて、光源ＬＳからの点状光を第２方向Ｙに均一な強度の線状光に変換する。パウエルレンズ４６を出射した光は、シリンドリカルレンズ４７に入射する。
【００５０】
シリンドリカルレンズ４７は、第３方向Ｚに沿う中心軸を有する円柱の一部を切り出した形状（円柱面）の出射面４７Ｂを有し、第２方向Ｙにおいて光の幅を制御する。シリンドリカルレンズ４７を出射した光は、例えば第２方向において平行性を有した光に変換される。なお、シリンドリカルレンズ４７は、円柱面が入射側になるように配置してもよい。シリンドリカルレンズ４７に代えて、シリンドリカルレンズ４７の円柱面を分割したレンズ面を有するフレネルレンズを用いてもよい。或いは、レンズ外形の曲率ではなくレンズ内部の屈折率分布を利用して平行光を直線状に集光するＧＲＩＮ（ｇｒａｄｅｄ  ｉｎｄｅｘ）レンズ等を用いてもよい。
【００５１】
パウエルレンズ４６及びシリンドリカルレンズ４７の組み合わせは、コリメートレンズ２０と同様に、光源ＬＳから照射された光を、第２方向Ｙに平行性を有し且つ第３方向Ｚに拡散性を有する光に変換する。さらに、第２方向Ｙにおける光の強度がパウエルレンズ４６によって均一に変換される。その結果、照明装置ＢＬから照射される面状光について第２方向Ｙの光のムラをより一層抑制できる。
【００５２】
以上のように構成された本実施形態の照明装置ＢＬは、図２に示すように、複数の光源ＬＳが並べられた第２方向Ｙ（導光板１０の短辺方向）と、第１乃至第３色（Ｒ，Ｇ，Ｂ）の光を発する第１乃至第３レーザー素子ＬＤ１，ＬＤ２，ＬＤ３が並べられた第３方向Ｚ（導光板１０の厚み方向）とが交差している。これにより、光源ＬＳから第２方向Ｙに平行な光を照射しても、第１乃至第３色（Ｒ，Ｇ，Ｂ）の光を均一に色混合することができる。
【００５３】
詳しく説明すると、第２方向Ｙに並べられた複数の光源ＬＳは、第２方向Ｙと交差する第１方向Ｘ（導光板１０の長手方向）に光を照射する。導光板１０の内部を第１方向Ｘに進む光は、光源ＬＳの並び方向（第２方向Ｙ）に色混合されづらい一方、第１主面１２及び第２主面１３に反射されて導光板１０の厚み方向（第３方向Ｚ）及び光の進行方向（第１方向Ｘ）に均一に色混合される。
【００５４】
そして、各々の光源ＬＳ１，ＬＳ２，ＬＳ３，ＬＳ４，ＬＳ５において、第１乃至第３色（Ｒ，Ｇ，Ｂ）の光を発する第１乃至第３レーザー素子ＬＤ１，ＬＤ２，ＬＤ３は、第２方向Ｙではなく、第３方向Ｚに沿って並べられている。複数の光源ＬＳの並び方向（第２方向Ｙ）と、第１乃至第３レーザー素子ＬＤ１，ＬＤ２，ＬＤ３の並び方向（第３方向Ｚ）とが交差しているため、本実施形態によれば、第１乃至第３レーザー素子ＬＤ１，ＬＤ２，ＬＤ３から発せられた第１乃至第３色（Ｒ，Ｇ，Ｂ）の光を均一に色混合させることができる。
【００５５】
本実施形態の照明装置ＢＬは、光源ＬＳから照射された光を第２方向Ｙに平行性を有し、第３方向Ｚに拡散性を有する光に変換するコリメートレンズ２０を備えている。導光板１０に入射する光が第２方向Ｙに平行性を有しているため、導光板１０の第１方向Ｘ（導光板１０の長辺方向）の光源ＬＳ寄りの一端１０Ａから光源ＬＳとは反対側の他端１０Ｂまで均一に光を伝播させることができる。しかも、第３方向Ｚに拡散性を有しているため、導光板１０の第１主面１２及び第２主面１３で反射させて第１色乃至第３色の光を均一に色混合できる。
【００５６】
コリメートレンズ２０の先端２０Ｂは、導光板１０の側面１１と対向しており、側面１１と略同一の厚みに形成されている。第１レーザー素子ＬＤ１，ＬＤ２，ＬＤ３と対向する基端２０Ａは、第３方向Ｚにおいて、先端２０Ｂよりも大きく形成されている。そのため、導光板１０の厚みに左右されずに、導光板１０の厚みよりも大きさ第１乃至第３レーザー素子ＬＤ１，ＬＤ２，ＬＤ３を適宜選択できる。
【００５７】
また、コリメートレンズ２０の先端２０Ｂ（出射側）は、第２方向Ｙにおいて、基端２０Ａ（入射側）よりも大きく形成されている。入射側からの光を出射側で第２方向Ｙに広げることができるため、光源ＬＳの数を減らし、照明装置ＢＬの消費電力を抑制できる。さらに、第１方向Ｘにおいて、光源ＬＳと導光板１０との距離を縮め、照明装置ＢＬを小型化できる。
【００５８】
コリメートレンズ２０は、図５及び図６に示すように、第１乃至第３レーザー素子ＬＤ１，ＬＤ２，ＬＤ３から照射された光が入射する第１凹部４１，４２，４３を有している。第１乃至第３凹部４１は、第１乃至第３レーザー素子ＬＤ１，ＬＤ２，ＬＤ３からの光を第２方向Ｙ及び第３方向Ｚに広げることができるため、光源ＬＳの数を減らし、照明装置ＢＬの消費電力を抑制できる。さらに、第１方向Ｘにおいて、光源ＬＳと導光板１０との距離を縮め、照明装置ＢＬを小型化できる。
【００５９】
なお、本実施形態の他の一例として、図１０に示すように、コリメートレンズ２０の第４面３４，第５面３５，第６面３６について、先端２０Ｂからの距離Ｄ１，Ｄ２，Ｄ３が互いに異なるように構成すれば、図１１に示すように、第１乃至第３レーザー素子ＬＤ１，ＬＤ２，ＬＤ３を第１方向Ｘにおいて前後にずらして配置できるため、第３方向Ｚにおいてコリメートレンズ２０の厚みＨ４を小さくできる。
【００６０】
或いは、本実施形態の他の一例として、コリメートレンズ２０に代えて、図１２に示すように、パウエルレンズ４６及びシリンドリカルレンズ４７を備える構成にすれば、パウエルレンズ４６によって光源ＬＳからの点状光を第２方向Ｙに均一な強度の線状光に変換できるため、照明装置ＢＬから照射される面状光について第２方向Ｙの輝度ムラをより一層抑制できる。  
その他、本実施形態からは、種々の好適な効果を得ることができる。
【００６１】
［第２実施形態］  
第１実施形態では、第１乃至第３レーザー素子ＬＤ１，ＬＤ２，ＬＤ３が第３方向Ｚに沿って並べられている照明装置ＢＬの構成を開示した。第２実施形態では、図１３乃至図１５を参照して第１乃至第３レーザー素子ＬＤ１，ＬＤ２，ＬＤ３が第１方向Ｘに沿って並べられている照明装置ＢＬの構成を説明する。図１３は、第２実施形態の照明装置ＢＬの概略的な構成を示す斜視図である。図１３に示すように、第２実施形態に係る導光板１０は、第１方向Ｘの一端１０Ａに位置する縁部５１と、他端１０Ｂを含む導光板１０の大部分を占める発光部５２と、を有している。
【００６２】
縁部５１は、第２主面１３に設けられた入射面５３と、第１主面１２及び第２主面１３の間に設けられた反射面５４と、を有している。反射面５４は、例えば第１主面１２と鈍角をなすとともに第２主面１３と鋭角をなし、入射面５３と対向している。
【００６３】
反射面５４は、各々の光源ＬＳに対応して設けられた複数の凹面鏡５５を含んでいる。凹面鏡５５は、光源ＬＳから照射された光を第２方向Ｙに平行性を有し且つ第３方向Ｚに拡散性を有する光に変換する光指向部の一例である。各々の凹面鏡５５は、入射面５３と対向する凹面（逆円柱面）を導光板１０の内部に有し、入射面５３に入射した光を第２方向Ｙに幅を制御して発光部５２に向けて反射する。凹面鏡５５に反射された光は第２方向Ｙにおいて平行性を有し且つ第３方向に拡散性を有している。
【００６４】
図１３に示すように、入射面５３において、複数の光源ＬＳ（ＬＳ１，ＬＳ２，ＬＳ３，ＬＳ４，ＬＳ５）は、第２方向Ｙに沿って並べられている。  
各々の光源ＬＳにおいて、第１乃至第３レーザー素子ＬＤ１，ＬＤ２，ＬＤ３は、第１方向Ｘに沿って並べられている。すなわち、光源ＬＳ１において、第１乃至第３レーザー素子ＬＤ１，ＬＤ２，ＬＤ３は、第１方向Ｘに沿って並べられている。同様に、光源ＬＳ２，ＬＳ３，ＬＳ４，ＬＳ５において、第１乃至第３レーザー素子ＬＤ１，ＬＤ２，ＬＤ３は、第１方向Ｘに沿ってそれぞれ並べられている。  
このような位置において、各々のレーザー素子ＬＤは、光源ＬＳの並び方向（第２方向Ｙ）に半値幅が広く、当該レーザー素子ＬＤの並び方向（第１方向Ｘ）に半値幅が狭くなる向きにそれぞれ固定されている。
【００６５】
図１４は、図１３中のＦ１４−Ｆ１４線に沿う断面図である。図１４に示すように、入射面５３には、第１乃至第３凹部４１，４２，４３が形成されている。第１乃至第３凹部４１，４２，４３は、光拡散構造の一例である。光源ＬＳから発せられた光は、第１乃至第３凹部４１，４２，４３に入射すると第１方向Ｘ及び第２方向Ｙに幅を広げられる。
【００６６】
前述の通り、光拡散構造は、光路を広げることが目的であるため、表面の形状は凹状に限られず、凸状であってもよい。光拡散構造を通過した直後の光は、光路の厚み方向（第１方向Ｘ）に放射強度が高いことが好ましい。この場合、光拡散構造を通過した光は、凹面鏡５５に反射され、第３方向Ｚに放射強度が高い光になって発光部５２を伝播する。光拡散構造を通過した直後の光が第１方向Ｘに放射強度が高ければ、反射後に発光部５２を伝播する光は第３方向Ｚに放射強度が高くなる。
【００６７】
図１５は、第２実施形態の照明装置ＢＬの平面図である。図１５に示すように、発光部５２において、第１主面１２は、光源ＬＳ１，ＬＳ２に対応するサブ領域Ａ１，Ａ２を含んでいる。図示しないが、光源ＬＳ３，ＬＳ４，ＬＳ５に対応する領域Ａ３，Ａ４，Ａ５も含んでいる。第１実施形態と同様に、第２実施形態でもサブ領域Ａ１〜Ａ５の輝度を個別に調整できる。
【００６８】
第２実施形態では、図１３に示すように、複数の光源ＬＳの並び方向（第２方向Ｙ）と、第１乃至第３色（Ｒ，Ｇ，Ｂ）の光を発する第１乃至第３レーザー素子ＬＤ１，ＬＤ２，ＬＤ３の並び方向（第１方向Ｘ）とが交差している。
【００６９】
前述のように、第２方向Ｙに並べられた光源ＬＳから照射される光は、光源ＬＳの並び方向（第２方向Ｙ）に色混合されづらい一方、導光板１０の厚み方向（第３方向Ｚ）及び光の進行方向（第１方向Ｘ）に均一に色混合される。第２実施形態では、第１乃至第３レーザー素子ＬＤ１，ＬＤ２，ＬＤ３が第１方向Ｘに沿って並べられているため、第１実施形態と同様に、光源ＬＳから第２方向Ｙに平行な光を照射しても、第１乃至第３色（Ｒ，Ｇ，Ｂ）の光を均一に色混合することができる。
【００７０】
第２実施形態の照明装置ＢＬは、反射面５４に設けられ、入射光を発光部５２に向けて反射する凹面鏡５５を備えている。凹面鏡５５に反射された光は、第２方向Ｙに平行性を有しているため、他端１０Ｂまで発光部５２を均一に伝播させることができる。凹面鏡５５に反射された光は、第３方向Ｚに拡散性を有しているため、導光板１０の第１主面１２及び第２主面１３で反射させて第１色乃至第３色（Ｒ，Ｇ，Ｂ）の光を均一に色混合させることができる。
【００７１】
［第３実施形態］  
第３実施形態について、図１６乃至図１８を参照して説明する。第３実施形態では、導光板１０の直下に複数の光源ＬＳが面状に配列されている。各々の光源ＬＳにおいて、第１乃至第３レーザー素子ＬＤ１，ＬＤ２，ＬＤ３が第１方向Ｘに沿って並べられている。
【００７２】
図１６は、第３実施形態の照明装置ＢＬの概略的な構成を示す斜視図である。図１６に示すように、第３実施形態の照明装置ＢＬは、導光板１０の第２主面１３に光を照射する複数の光源ＬＳを備えている。第２主面１３は、第３実施形態における入射面の一例である。複数の光源ＬＳは、第２方向Ｙに沿って並べられた光源ＬＳ１〜ＬＳ５を含んでいる。以下、光源ＬＳ１〜ＬＳ５をまとめて第１ラインＬ１と呼ぶことがある。
【００７３】
第３実施形態では、複数の光源ＬＳとして、さらに、第２ラインＬ２（図示しない光源ＬＳ６〜ＬＳ１０）と、第３ラインＬ３（図示しない光源ＬＳ１１〜ＬＳ１５）と、第４ラインＬ４（図示しない光源ＬＳ１６〜２０）と、第５ラインＬ５（図示しない光源ＬＳ２１〜２５）と、第６ラインＬ６（光源ＬＳ２６〜３０）と、を含んでいる。第２乃至第６ラインＬ２〜Ｌ６の光源ＬＳ６〜ＬＳ３０は、第１ラインＬ１の光源ＬＳ１〜ＬＳ５と略同一の形状及び機能を有している。そのため、代表して光源ＬＳ１〜ＬＳ５を詳しく説明し、ＬＳ６〜ＬＳ３０については重複する説明を省略することがある。
【００７４】
第１ラインＬ１の光源ＬＳ１〜ＬＳ５と同様に、第２ラインＬ２の光源ＬＳ６〜ＬＳ１０、第３ラインＬ３の光源ＬＳ１１〜ＬＳ１５、第４ラインＬ２の光源ＬＳ１６〜ＬＳ２０、第５ラインＬ２の光源ＬＳ２１〜ＬＳ２５、第６ラインＬ２の光源ＬＳ２６〜ＬＳ３０は、それぞれ第２方向Ｙに沿って並べられている。
【００７５】
各々の光源ＬＳ１，ＬＳ２，ＬＳ３，ＬＳ４，ＬＳ５において、第１乃至第３レーザー素子ＬＤ１，ＬＤ２，ＬＤ３は、第１方向Ｘに沿って並べられている。同様に、各々の光源ＬＳ６〜ＬＳ３０において、第１乃至第３レーザー素子ＬＤ１，ＬＤ２，ＬＤ３は、第１方向Ｘに沿って並べられている。  
このような位置において、各々のレーザー素子ＬＤは、光源ＬＳの並び方向（第２方向Ｙ）に半値幅が広く、当該レーザー素子ＬＤの並び方向（第１方向Ｘ）に半値幅が狭くなる向きにそれぞれ固定されている。
【００７６】
各々の光源ＬＳ１〜ＬＳ３０は、第２主面１３に設けられた複数のシリンドリカルレンズ６１と対向している。シリンドリカルレンズ６１は、光拡散構造の一例である。各々のシリンドリカルレンズ６１は、第１方向Ｘに沿う中心軸の円柱面を有し、第２方向Ｙにおける光の幅を制御する。シリンドリカルレンズ６１に代えて、シリンドリカルレンズ６１の円柱面を分割したレンズ面を有するフレネルレンズを第２主面１３に設けてもよい。
【００７７】
第１ラインＬ１の光源ＬＳ１〜ＬＳ５に対向するシリンドリカルレンズ６１は、第２方向Ｙに沿って並べられている。同様に、第２ラインＬ２、第３ラインＬ３、第４ラインＬ４、第５ラインＬ５、第６ラインＬ６に対向するシリンドリカルレンズ６１は、それぞれ第２方向Ｙに沿って並べられている。
【００７８】
図１７は、第３実施形態の照明装置ＢＬを第２方向Ｙから見た右側面図である。図１７に示すように、第２主面１３において、シリンドリカルレンズ６１が設けられていない部分には、導光板１０に入射した光を反射するプリズムパターン１３Ｐが形成されている。シリンドリカルレンズ６１が設けられていない部分は、例えば、導光板１０の一端１０Ａと第１ラインＬ１との間や、第１ラインＬ１と第２ラインＬ２との間である。
【００７９】
第３実施形態では、図１７に示すように、第１主面１２に、シリンドリカルレンズ６１に入射した光を第１方向Ｘに拡散させるプリズムパターン１２Ｐが形成されている。プリズムパターン１２Ｐは、複数のプリズムを含んでいる。各々のプリズムは、例えば、ＸＹ平面から傾斜した第１及び第２傾斜面６３，６４と、ＸＹ平面に平行な平坦面６５と、を有している。第１傾斜面６３は導光板１０の一端１０Ａを向いており、第２傾斜面６４は他端１０Ｂを向いている。互いに隣り合う第１及び第２傾斜面６３，６４が交差する稜線は、例えば第２方向Ｙに沿って延びている。プリズムパターン１２Ｐ（複数のプリズム）及びシリンドリカルレンズ６１の組み合わせは、光源ＬＳから照射された光を第２方向Ｙに平行性を有し且つ第３方向Ｚに拡散性を有する光に変換する光指向部の一例である。
【００８０】
図１７に示すように、第１ラインＬ１の光源ＬＳ１、第２ラインＬ２の光源ＬＳ６、第３ラインＬ３の光源ＬＳ１１、第４ラインＬ４の光源ＬＳ１６、第５ラインＬ５の光源ＬＳ２１、第６ラインＬ６の光源ＬＳ２６からそれぞれ出射した光は、シリンドリカルレンズ６１を通過したのち、第１主面１２のプリズムパターン１２Ｐに第１方向Ｘに拡散され、第１及び第２主面１２，１３で反射されることによって互いに混合される。導光板１０の内部で混合された光源ＬＳ１，ＬＳ６，ＬＳ１１，ＬＳ１６，ＬＳ２１，ＬＳ２６の光は、対応するサブ領域Ａ１（図１６に示す）から出射する。
【００８１】
図１８は、第３実施形態の照明装置ＢＬを第１方向Ｘから見た正面図である。図１８に示すように、光源ＬＳ１（及び図示しない光源ＬＳ６，ＬＳ１１，ＬＳ１６，ＬＳ２１，ＬＳ２６）がサブ領域Ａ１と対応している。同様に、光源ＬＳ２（及び図示しない光源ＬＳ７，ＬＳ１２，ＬＳ１７，ＬＳ２２，ＬＳ２７）がサブ領域Ａ２と対応し、光源ＬＳ３（及び図示しない光源ＬＳ８，ＬＳ１３，ＬＳ１８，ＬＳ２３，ＬＳ２８）がサブ領域Ａ３と対応し、光源ＬＳ４（及び図示しない光源ＬＳ９，ＬＳ１４，ＬＳ１９，ＬＳ２４，ＬＳ２９）がサブ領域Ａ４と対応し、光源ＬＳ５（図示しない光源ＬＳ１０，ＬＳ１５，ＬＳ２０，ＬＳ２５，ＬＳ３０）がサブ領域Ａ５と対応している。そのため、第１及び第２実施形態と同様に、第３実施形態でもサブ領域Ａ１〜Ａ５の輝度を個別に調整できる。
【００８２】
第３実施形態では、第２実施形態と同様に、第１ラインＬ１の光源ＬＳ１〜ＬＳ５の並び方向（第２方向Ｙ）と、第１乃至第３レーザー素子ＬＤ１，ＬＤ２，ＬＤ３の並び方向（第１方向Ｘ）とが交差している。第１ラインＬ１と同様に、第２ラインＬ２の光源ＬＳ６〜ＬＳ１０の並び方向（第２方向Ｙ）、第３ラインＬ３の光源ＬＳ１１〜ＬＳ１５の並び方向（第２方向Ｙ）、第４ラインＬ２の光源ＬＳ１６〜ＬＳ２０の並び方向（第２方向Ｙ）、第５ラインＬ２の光源ＬＳ２１〜ＬＳ２５の並び方向（第２方向Ｙ）、第６ラインＬ２の光源ＬＳ２６〜ＬＳ３０の並び方向（第２方向Ｙ）は、第１乃至第３レーザー素子ＬＤ１，ＬＤ２，ＬＤ３の並び方向（第１方向Ｘ）とが交差している。これにより、第１乃至第３色（Ｒ，Ｇ，Ｂ）の光を均一に色混合することができる。
【００８３】
第３実施形態では、第２実施形態の凹面鏡５５に代えて、複数のシリンドリカルレンズ６１と、複数のプリズムパターン１２Ｐとを有している。シリンドリカルレンズ６１及びプリズムパターン１２Ｐの組み合わせにより、複数の光源ＬＳから照射された光を第２方向Ｙに平行性を有し、第１方向Ｘに拡散性を有する光に変換できる。
【００８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形例は、発明の範囲や要旨に含まれるとともに、特許請求の範囲に記載された発明とその均等の範囲に含まれる。各実施形態にて開示した構成は、適宜に組み合わせることができる。  
例えば、第１及び第２実施形態に係る第１主面（出射面）１２に第３実施形態に係るプリズムパターン１２Ｐを設けてもよい。第３実施形態に係る光源ＬＳとシリンドリカルレンズ６１との間に第１実施形態に係るパウエルレンズ２６を配置してもよい。
【符号の説明】
【００８５】
１０…導光板、１１…側面（入射面の一例），１２…第１主面（出射面の一例）、１３…第２主面（入射面の一例）、２０…コリメートレンズ（レンズの一例）、２０Ａ…基端（入射側の一例）、２０Ｂ…先端（出射側の一例）、４１…第１凹部（光拡散構造の一例）、４２…第２凹部（光拡散構造の一例）、４３…第３凹部（光拡散構造の一例）、４６…パウエルレンズレンズの一例）、４７…シリンドリカルレンズ（レンズの一例）、５１…縁部、５２…発光部、５３…入射面、５４…反射面、６１…シリンドリカルレンズ（光拡散構造の一例）、Ａ１，Ａ２，Ａ３，Ａ４，Ａ５…サブ領域、ＢＬ…照明装置、ＬＤ１…第１レーザー素子、ＬＤ２…第２レーザー素子、ＬＳ，ＬＳ１，ＬＳ２，ＬＳ３，ＬＳ３，ＬＳ４，ＬＳ５，ＬＳ２６，ＬＳ２７，ＬＳ２８，ＬＳ２９，ＬＳ３０…光源、Ｘ…第１方向、Ｙ…第２方向、Ｚ…第３方向。
【図１】
2018045778.tif 000003
【図２】
2018045778.tif 000004
【図３】
2018045778.tif 000005
【図４】
2018045778.tif 000006
【図５】
2018045778.tif 000007
【図６】
2018045778.tif 000008
【図７】
2018045778.tif 000009
【図８】
2018045778.tif 000010
【図９】
2018045778.tif 000011
【図１０】
2018045778.tif 000012
【図１１】
2018045778.tif 000013
【図１２】
2018045778.tif 000014
【図１３】
2018045778.tif 000015
【図１４】
2018045778.tif 000016
【図１５】
2018045778.tif 000017
【図１６】
2018045778.tif 000018
【図１７】
2018045778.tif 000019
【図１８】
2018045778.tif 000020